(57)【要約】圧力測定装置（１００）は、入口（１１３）を有するハウジング（１１０）と、入口に結合されて、入口における圧力を表す電気信号を生成する変換器（１２０）と、変換器に結合されて、電気信号に対応する無線信号を送信するデータ通信装置（１４０）とを含む。
2006510035.tif 000002
【特許請求の範囲】
【請求項１】
圧力を測定する装置であって、
入口を備えるハウジングと、
ハウジングの入口に結合されて、入口における圧力を表す電気信号を生成する変換器と、
ハウジングの入口に結合されて、入口における圧力を表示する視覚的表示器と、
ハウジングの変換器に結合されて、電気信号に対応する無線信号を送信するデータ通信装置とを備え、圧力情報は局所的かつ遠隔に提供される装置。
【請求項２】
ハウジングが入口へと延在する心棒を備え、
変換器が、入口における圧力に応答して正確に変位するために、入口に結合されたブルドン管を備え、
視覚的表示器が、
ブルドン管の変位に応答して回転するためにブルドン管に結合されたシャフトと、
圧力値を表示するために回転式シャフトに取り付けられたポインタとを備える、請求項１に記載の装置。
【請求項３】
変換器がさらに、
ブルドン管に結合された誘導ターゲットを備え、ターゲットがブルドン管の変位に応答して移動可能であり、さらに、
誘導ターゲットの動作を感知し、誘導ターゲットの動作に応答して電気信号を生成するように配置された渦電流センサを備える、請求項２に記載の装置。
【請求項４】
変換器が、入口における圧力に応答して電気信号を生成するために、入口に結合された圧電センサを備える、請求項１に記載の装置。
【請求項５】
視覚的表示器がディジタル・ディスプレイを備える、請求項１に記載の装置。
【請求項６】
データ通信装置が赤外線放射器を備える、請求項１に記載の装置。
【請求項７】
さらに、変換器とデータ通信装置との間に結合されたプロセッサを備える、請求項１に記載の装置。
【請求項８】
プロセッサが、入口における圧力を表す信号に基づいて圧力特徴付けデータを生成するように動作可能である、請求項７に記載の装置。
【請求項９】
特徴付けデータが、入口における圧力に基づく警告を含む、請求項８に記載の装置。
【請求項１０】
プロセッサが、圧力情報を送信する頻度を制御するように動作可能である、請求項７に記載の装置。
【請求項１１】
プロセッサが、圧力データ設定点に基づいて圧力情報送信頻度を制御するように動作可能である、請求項１０に記載の装置。
【請求項１２】
プロセッサが、自身および他の電子構成要素を電力保存モードに入れるように動作可能である、請求項７に記載の装置。
【請求項１３】
プロセッサが、感知した圧力の非直線性を補償するように動作可能である、請求項７に記載の装置。
【請求項１４】
プロセッサが、温度係数を補償するように動作可能である、請求項７に記載の装置。
【請求項１５】
さらに、プロセッサに結合された赤外線データ関連インタフェースを備え、プロセッサがインタフェースを介して遠隔プログラム可能である、請求項７に記載の装置。
【請求項１６】
プロセッサが、圧力データ設定点を変更するようにプログラム可能である、請求項１５に記載の装置。
【請求項１７】
さらに、プロセッサに結合され、外部からアクセス可能な端子を備える、請求項７に記載の装置。
【請求項１８】
プロセッサが、端子を介して離散的状態入力を受け取るように動作可能である、請求項１７に記載の装置。
【請求項１９】
プロセッサが、端子を介してパルス累積情報を出力するように動作可能である、請求項１７に記載の装置。
【請求項２０】
さらに、ハウジングに動作モードを表示する視覚的表示器を備える、請求項１に記載の装置。
【請求項２１】
さらにデータ通信装置のオン・オフ・スイッチを備える、請求項１に記載の装置。
【請求項２２】
圧力を測定する装置であって、
入口を備えるハウジングと、
ハウジングの入口に結合されて、入口における圧力を表す電気信号を生成する変換器と、
ハウジングの変換器に結合されたプロセッサとを備え、プロセッサは、電気信号を受信し、信号に対応する圧力情報を含む信号を生成するように動作可能であり、さらに、
ハウジングのプロセッサに結合されて、プロセッサが生成した信号を表す無線信号を生成するデータ通信装置を備え、圧力情報が遠隔から提供される装置。
【請求項２３】
さらに、入口における圧力を表示するためにハウジングの入口に結合された視覚的表示器を備える、請求項２２に記載の装置。
【請求項２４】
変換器が、
入口における圧力に応答して正確に変位するために、入口に結合されたブルドン管と、
ブルドン管に結合された誘導ターゲットとを備え、誘導ターゲットは、ブルドン管の変位に応答して移動可能であり、さらに、
誘導ターゲットの動作を感知し、誘導ターゲットの動作に応答して電気信号を生成するように配置された渦電流センサを備える、請求項２２に記載の装置。
【請求項２５】
プロセッサがさらに、電気信号に基づいて圧力特徴付けデータを生成するように動作可能であり、特徴付けデータが無線信号の一部として送信される、請求項２２に記載の装置。
【請求項２６】
プロセッサがさらに、圧力情報を送信する頻度を制御するように動作可能である、請求項２２に記載の装置。
【請求項２７】
プロセッサがさらに、自身および他の電子構成要素を電力保存モードに入れるように動作可能である、請求項２２に記載の装置。
【請求項２８】
プロセッサがさらに、感知した圧力の非直線性を補償するように動作可能である、請求項２２に記載の装置。
【請求項２９】
プロセッサがさらに、温度係数を補償するように動作可能である、請求項２２に記載の装置。
【請求項３０】
さらに、プロセッサに結合された赤外線データ・アクセス・インタフェースを備え、プロセッサがインタフェースを介して遠隔プログラム可能である、請求項２２に記載の装置。
【請求項３１】
さらに、プロセッサに結合され、外部からアクセス可能な端子を備える、請求項２２に記載の装置。
【請求項３２】
圧力を測定する装置であって、
入口を備えるハウジングと、
ハウジングの入口に結合されて、入口における圧力に応じて変位するブルドン管と、
ブルドン管に結合されて、ブルドン管の変位に応答して回転するシャフトと、
回転式シャフトに取り付けられて、入口における圧力を表示するポインタと、
ブルドン管に結合されて、ブルドン管の変位に応答して動作する誘導ターゲットと、
誘導ターゲットの動作を感知し、誘導ターゲットの動作に応答して電気信号を生成するように配置された渦電流センサと、
ハウジング内のセンサに結合されて、電気信号に対応する無線信号を送信するデータ通信装置とを備え、圧力情報が局所的および遠隔から提供される装置。
【請求項３３】
さらに、渦電流センサとデータ通信装置との間に結合されたプロセッサを備える、請求項３２に記載の装置。
【請求項３４】
プロセッサが、電気信号に基づいて圧力特徴付けデータを生成するように動作可能であり、特徴付けデータが無線信号の一部として送信される、請求項３３に記載の装置。
【請求項３５】
プロセッサが、圧力情報を送信する頻度を制御するように動作可能である、請求項３３に記載の装置。
【請求項３６】
プロセッサが、圧力データ設定点に基づいて圧力情報送信頻度を制御するように動作可能であり、頻度が、圧力データ設定点と交差する圧力に応答して変更される、請求項３５に記載の装置。
【請求項３７】
プロセッサが、自身および他の電子構成要素を電力保存モードに入れるように動作可能である、請求項３３に記載の装置。
【請求項３８】
プロセッサが、感知した圧力の非直線性を補償するように動作可能である、請求項３３に記載の装置。
【請求項３９】
プロセッサが、温度係数を補償するように動作可能である、請求項３３に記載の装置。
【請求項４０】
さらに、プロセッサに結合された赤外線データ・アクセス・インタフェースを備え、プロセッサがインタフェースを介して遠隔プログラム可能である、請求項３３に記載の装置。
【請求項４１】
圧力測定装置にて実行される方法であって、
ハウジングの入口における圧力を感知することと、
感知した圧力を、ハウジングにおける圧力の視覚的表示に変換することと、
感知した圧力をハウジングで電気信号に変換することと、
ハウジングからの電気信号に対応する無線信号を送信することとを含み、圧力情報が局所的および遠隔から提供される方法。
【請求項４２】
感知した圧力を圧力の視覚的表示に変換することが、
感知した圧力を機械的変位に変換することと、
機械的変位をポインタに翻訳することとを含む、請求項４１に記載の方法。
【請求項４３】
感知した圧力を電気信号に変換することが、
機械的変位を誘導ターゲットに翻訳することと、
ターゲットの変位に応答して生成された渦電流を感知することとを含む、請求項４２に記載の方法。
【請求項４４】
無線信号を送信することが、赤外線放射線パルスを放射することを含む、請求項４１に記載の方法。
【請求項４５】
さらに、
電気信号に基づいて感知した圧力の特徴付けデータを生成することと、
無線信号の一部として特徴付けデータを送信することとを含む、請求項４１に記載の方法。
【請求項４６】
さらに、圧力情報を送信する頻度を制御することを含む、請求項４１に記載の方法。
【請求項４７】
さらに、電子構成要素を電力保存モードに入れることを含む、請求項４１に記載の方法。
【請求項４８】
さらに、
動作調整を指定する無線信号を受信することと、
圧力測定装置の動作を調整することとを含む、請求項４１に記載の方法。
【請求項４９】
さらに、
外部で生成されたデータを受信することと、
無線信号の一部としてデータを送信することとを含む、請求項４１に記載の方法。
【請求項５０】
さらに、ハウジングにおける動作モードの視覚的表示を提供することを含む、請求項４１に記載の方法。
【請求項５１】
圧力を測定する装置であって、
ハウジングの入口における圧力を感知する手段と、
感知した圧力をハウジングにおける圧力の視覚的表示に変換する手段と、
感知した圧力をハウジングにおける電気信号に変換する手段と、
ハウジングから電気信号に対応する無線信号を送信する手段とを備え、圧力情報が局所的および遠隔から提供される装置。
【請求項５２】
感知した圧力を圧力の視覚的表示に変換することが、
感知した圧力を機械的変位に変換することと、
機械的変位をポインタに翻訳することとを含む、請求項５１に記載の装置。
【請求項５３】
感知した圧力を電気信号に変換することが、
機械的変位を誘導ターゲットに翻訳することと、
ターゲットの変位に応答して生成された渦電流を感知することとを含む、請求項５２に記載の装置。
【請求項５４】
無線信号を感知することが、赤外線放射線パルスを放射することを含む、請求項５１に記載の装置。
【請求項５５】
さらに、電気信号に基づいて感知圧力の特徴付けデータを生成する手段を備え、特徴付けデータが無線信号の一部として送信される、請求項５１に記載の装置。
【請求項５６】
さらに、圧力情報が送信される頻度を制御する手段を備える、請求項５１に記載の装置。
【請求項５７】
さらに、受信した無線信号に応答して動作を調整する手段を備える、請求項５１に記載の装置。
【請求項５８】
さらに、外部で生成されたデータを受信する手段を備え、データを無線信号の一部として送信することができる、請求項５１に記載の装置。
【請求項５９】
さらに、ハウジングにおける動作モードの視覚的表示を提供する手段を備える、請求項５１に記載の装置。
【請求項６０】
圧力を測定する装置であって、
入口を有する心棒を備えるハウジングと、
入口に結合されて、入口における圧力に応答して正確に変位するブルドン管と、
ブルドン管に機械的に結合されて、ブルドン管の変位に応答して回転するシャフトと、
シャフトに取り付けられて、圧力値を表示するポインタと、
ブルドン管に結合された誘導ターゲットとを備え、誘導ターゲットが、ブルドン管の変位に応答して動作可能であり、さらに、
誘導ターゲットの動作を感知し、誘導ターゲットの動作に応答して電気信号を生成するように配置された渦電流センサと、
センサに結合されたアナログ・ディジタル変換器とを備え、変換器は、電気信号を受信し、信号のディジタル版を生成するように動作可能であり、さらに、
変換器に結合されたマイクロプロセッサを備え、マイクロプロセッサは、
ディジタル化した信号を受信し、
感知した圧力の非直線性を補償し、
温度係数を補償し、
補償した信号に基づいて圧力特徴付けデータを生成し、
圧力情報の送信頻度を調整すべきか決定し、
頻度を調整すべき場合は、頻度を調整し、
圧力情報を送信する時か決定し、
圧力情報を決定すべき時である場合は、圧力情報を備える信号を生成し、
自身および電子構成要素を電力保存モードに入れるように動作可能であり、さらに、
マイクロプロセッサに結合された赤外線データ関連インタフェースを備え、マイクロプロセッサはインタフェースを介して遠隔プログラム可能であり、さらに、
マイクロプロセッサに結合されて、マイクロプロセッサの信号を示す無線信号を送信する赤外線送受信器を備え、これによって圧力情報が局所的および遠隔から提供される装置。
【発明の詳細な説明】
【技術分野】
【０００１】
本出願は、「Ｗｉｒｅｌｅｓｓ  Ｔｒａｎｓｍｉｔｔｉｎｇ  Ｐｒｅｓｓｕｒｅ  Ｇａｕｇｅ」と題され、２００２年１２月１０日に出願された米国暫定出願第６０／４３２，４１６号、「Ｗｉｒｅｌｅｓｓ  Ｔｒａｎｓｍｉｔｔｉｎｇ  Ｐｒｅｓｓｕｒｅ  Ｇａｕｇｅ」と題され、２００３年１月３１日に出願された米国暫定出願第６０／４４４，３１４号、および２００３年１１月２６日に出願され、「Ｗｉｒｅｌｅｓｓ  Ｔｒａｎｓｍｉｔｔｉｎｇ  Ｐｒｅｓｓｕｒｅ  Ｍｅａｓｕｒｅｍｅｎｔ  Ｄｅｖｉｃｅ」と題された米国実用出願に対する優先権を主張する。
【０００２】
以下の記述は概ね圧力測定装置に、特に圧力測定装置からの情報を提供することに関する。
【背景技術】
【０００３】
圧力ゲージは、商業および産業用途で無数の異なる環境にて広く使用されている。通常、圧力ゲージは圧力を測定し、値の指標を提供する。圧力値は通常、アナログ形態（例えばポインタによる）またはディジタル形態（例えばＬＥＤ読み取り値による）で表示される。アナログ形態で値を表示するゲージは、ブルドン管などの機械的圧力変換器を含むことが多く、これは変換器が曝露している圧力に応答して、予想可能な量を変位する。変位は、校正済み圧力値のダイヤルとは反対に動作する回転式ポインタの動作を介して翻訳される。ディジタル形態で値を表示するゲージは、圧電センサなどの電子圧力変換器を使用することが多く、これは変換器が曝露している圧力に応答して、電気信号を発生する。次に、電気信号は、ディスプレイ上に提示される記号に変換される。
【発明の開示】
【発明が解決しようとする課題】
【０００４】
危険な環境で、またはアクセスが困難な場所で使用できる圧力測定装置を提供することにある。
【課題を解決するための手段】
【０００５】
１つの一般的態様では、圧力を測定する装置はハウジング、変換器、およびデータ通信装置を含む。ハウジングは入口を有し、変換器はハウジングの入口に結合して、入口における圧力を表す電気信号を発生する。変換器は、例えば入口における圧力に応答して電気信号を発生するように動作可能な圧電タイプのセンサでよい。データ通信装置は、ハウジング内の変換器に結合して、電気信号に対応する無線信号を送信し、それによって圧力情報が遠隔に提供される。データ通信装置は、例えば赤外線放出器でよい。
【０００６】
幾つかの実施例では、装置は、ハウジング内の入口に結合して、入口における圧力を示す視覚的表示器（ｖｉｓｕａｌ  ｉｎｄｉｃａｔｏｒ）を含む。したがって、圧力情報は局所的にも遠隔にも提供することができる。視覚的表示器は、例えばディジタル・ディスプレイでよい。
【０００７】
特定の実施例では、ハウジングは入口へと延在する心棒を含み、変換器は、入口に結合し、入口における圧力に応答して正確に変位するブルドン管を含む。装置は、ブルドン管に結合して、ブルドン管の変位に応答して回転するシャフトを有する視覚的表示器、および回転式シャフトに取り付けられて、圧力値を表示するポインタも含む。
【０００８】
ある実施形態では、変換器はブルドン管に結合した誘導ターゲット（ｉｎｄｕｃｔｉｖｅ  ｔａｒｇｅｔ）を含み、この誘導ターゲットはブルドン管の変位に応答して動作可能であり、さらに誘導ターゲットの動作を感知し、誘導ターゲットの動作に応答して、入口における圧力を表す電気信号を発生する渦電流センサも含む。
【０００９】
幾つかの実施例では、圧力測定装置は、変換器と送受信器との間に結合したプロセッサを含む。プロセッサは多様な動作を有する。例えば、プロセッサは、入口における圧力を表す信号に基づいて、圧力特徴付けデータを生成することができる。特徴付けデータは、無線信号の一部として送信され、入口における圧力に基づいて警告を含むことができる。別の例として、プロセッサは圧力情報が送信される頻度（ｆｒｅｑｕｅｎｃｙ）を制御することができる。プロセッサは、圧力データ設定点に基づいて圧力情報送信頻度を制御することができ、頻度は、圧力データ設定点と交差する圧力に応答して変更される。さらなる例として、プロセッサは、自身および他の電子構成要素を電力保存モードに入れることができる。追加の例として、プロセッサは、感知した圧力の非直線性および／または温度係数を補償することができる。
【００１０】
特定の実施例は、プロセッサに結合した赤外線データ関連インタフェース（Ｉｎｆｒａｒｅｄ  Ｄａｔａ  Ａｓｓｏｃｉａｔｉｏｎ  Ｉｎｔｅｒｆａｃｅ）を含むことができ、プロセッサは、このインタフェースを介して遠隔でプログラムすることができる。例えば、圧力データ設定点を変更するようにプロセッサをプログラムすることができる。
【００１１】
幾つかの実施例は、外部からアクセス可能でプロセッサに結合した端子を含む。プロセッサは、端子を介して離散的状況入力を受け取るように動作可能でよい。さらに、プロセッサは、端子を介してパルス累積情報を出力するように動作可能でよい。
【００１２】
ある実施例では、圧力測定装置はハウジングに視覚的表示器を含み、動作モードを表示する。圧力測定装置は、送受信器のオン・オフ・スイッチも含んでよい。
【００１３】
別の一般的態様では、圧力測定装置で実行する方法は、ハウジングの入口における圧力を感知することと、感知した圧力をハウジングの圧力の視覚的表示に変換することとを含む。方法は、感知した圧力をハウジングで電気信号に変換することと、電気信号に対応する無線信号をハウジングから送信することも含み、これによって圧力情報が局所的にも、遠隔にも提供される。
【００１４】
ある実施例では、感知した圧力を圧力の視覚的表示に変換することは、感知圧力を機械的変位に変換することと、機械的変位をポインタに翻訳することとを含む。さらに、感知圧力を電気信号に変換することは、機械的変位を誘導ターゲットに翻訳することと、ターゲットの変位に応答して発生した渦電流を感知することとを含む。また、無線信号を送信することは、赤外線放射パルスを放出することを含む。
【００１５】
特定の実施例は、追加の動作を含んでよい。例えば、幾つかの実施例は、電気信号に基づいて感知圧力の特徴付けデータを生成することと、無線信号の一部として特徴付けデータを送信することとを含む。別の例として、ある実施形態は、圧力情報を送信する頻度を制御することを含む。さらなる例として、特定の実施例は、電子構成要素を電力保存モードに入れることを含む。追加の例として、幾つかの実施例は、動作調整値を指定する無線信号を受信することと、圧力測定装置の動作を調整することとを含む。別の例として、ある実施例は、外部で生成されたデータを受信することと、無線信号の一部としてそのデータを送信することとを含む。さらなる例として、特定の実施例は、ハウジングでの動作モードの視覚的表示を提供することを含む。
【００１６】
別の一般的態様では、圧力を測定する装置はハウジング、ブルドン管、シャフトおよびポインタを含む。ハウジングは、入口がある心棒を有し、ブルドン管は入口に結合して、入口における圧力に応答して正確に変位する。シャフトはブルドン管に機械的に結合し、ブルドン管の変位に応答して回転し、ポインタはシャフトに取り付けられて、圧力値を表示する。装置は、ブルドン管に結合した誘導ターゲットも含み、ターゲットはブルドン管の変位に応答して動作可能であり、さらに誘導ターゲットの動作を感知し、誘導ターゲットの動作に応答して電気信号を発生する渦電流センサを含む。装置はさらに、センサに結合したアナログ・ディジタル変換器を含む。変換器は、電気信号を受信して、信号のディジタル版を生成するように動作可能である。装置は、変換器に結合したマイクロプロセッサも含む。マイクロプロセッサは、ディジタル化した信号を受信し、感知圧力の非直線性を補償し、温度係数を補償して、補償した信号に基づいて圧力特徴付けデータを生成するように動作可能である。マイクロプロセッサは、圧力情報を送信する頻度を調整すべきか決定し、頻度を調節すべき場合は頻度を調整するようにも動作可能である。マイクロプロセッサはさらに、圧力情報を送信すべき時間か決定し、圧力情報を送信すべき時間である場合は、圧力情報を含む信号を生成し、自身および他の電子装置を電力保存モードに入れるように動作可能である。装置は追加的に、マイクロプロセッサに結合した赤外線データ関連インタフェースを含み、したがってマイクロプロセッサは、インタフェースを介して遠隔からプログラムすることができ、さらにマイクロプロセッサに結合して、マイクロプロセッサ信号を表す無線信号を送信する赤外線送受信器を含み、それによって圧力情報が局所的にも、遠隔にも提供される。
【００１７】
１つまたは複数の実施例の詳細を、添付図面および以下の記述で説明する。記述および図面から、および請求の範囲から他の特徴も明白になる。
【発明を実施するための最良の形態】
【００１８】
図１は、例示的圧力測定装置１０を示す。図示のように、圧力測定装置１０は圧力ゲージであるが、他のタイプの圧力測定装置を使用してもよい。装置１０は、後部カバー２２および装置の内部構成要素の例示を補助するために図示されていない前部カバーを有するハウジング２０を含む。圧力値を含むダイヤル面も、装置の内部構成要素の例示を補助するために図示されていない。
【００１９】
圧力測定装置１０内では、圧力センサ３０がハウジング２０の入口２６と流体連絡する。圧力センサ３０は、入口２６における圧力に応答して、入口２６における圧力を表す電気出力を生成する。圧力センサ３０は、圧電タイプの圧力センサ、容量タイプの圧力センサ、歪みゲージ・タイプの圧力センサ、または他の適切な圧力電気変換器でよい。センサ３０によって出力された電気信号は、圧力を電圧、電流、周波数、パルス幅、または他の適切な電気信号特性で表す。圧力測定装置１０は第２変換器、つまりブルドン管４０も含む。しかし、ブルドン管４０は、圧力センサ３０の出力とは異なる出力を生成する。
【００２０】
ブルドン管４０の先端４２は、入口２６における圧力に応答して正確に変位する。変位することにより、先端４２はムーブメント５０のリンク５２を起動する。ムーブメント５０は増幅器も含み、リンク５２の変位動作を増幅する。ムーブメント５０は、先端４２の変位を、あるタイプの表示器であるポインタ５８の回転に機械的に結合する。したがって、ポインタ５８は、入口２６における圧力変化に応答して回転する。装置１０が完全に組み立てられると、ポインタ５８は反対側に圧力を区切ったダイヤル面を有する。
【００２１】
検討したように、圧力測定装置１０は２つの変換器を有し、一方は圧力を電気信号に変換し、一方は圧力を機械的運動に変換する。他の実施例では、圧力測定装置は任意の数の変換器を有してよい。さらに、幾つかの実施形態では、変換器は複数の出力を提供してよい。
【００２２】
図２は、圧力測定装置１０をさらに示す。図示のように、図１の圧力センサ３０、ブルドン管４０およびムーブメント５０は、プリント回路基板（ＰＣＢ）６０を示すために除去されている。ＰＣＢ６０は、センサ・コネクタ６２を介して図１の圧力センサ３０に電気的に結合する。ＰＣＢ６０は、センサ出力をディジタル化するアナログ・ディジタル（Ａ／Ｄ）変換器６４、およびセンサ出力を介して表示された圧力データを処理するプロセッサ６６も含む。幾つかの実施例では、センサの出力は、Ａ／Ｄ変換器６４でディジタル化される前に増幅される。しかし、全ての実施例に増幅器が必要なわけではない。
【００２３】
Ａ／Ｄ変換器６４およびプロセッサ６６は、ＰＣＢ６０に動作可能な状態で装着され、好ましくははんだ付けされる。プロセッサ６６は、例えばマイクロプロセッサでよく、Ａ／Ｄ変換器６４からディジタル信号を受信し、信号は入口における圧力を表して、さらにディジタル信号に、したがってセンサの出力に対応する圧力データを含む出力信号を生成する。圧力データは、例えば感知した圧力の表示を含んでよい。
【００２４】
特定の実施例では、プロセッサの出力は、圧力データ内で入口２６にて測定している圧力に関連する特徴付けデータを含んでよい。特徴付けデータは、例えば例外報告または圧力設定点を含んでよい。表１は例外データを実際に示す。
【００２５】
【表１】
2006510035.tif 000003
【００２６】
プロセッサの出力は送信器ＰＣＢ７０に結合され、これはＰＣＢ６０とハウジング２０の間に配置される。送信器ＰＣＢ７０は送信器を含み、これは無線信号を介して圧力測定装置１０から離れた遠隔地に圧力データを送信する一タイプのデータ通信装置である。無線信号の許容可能な形態には、無線周波（ＲＦ）、赤外線（ＩＲ）、または他の適切な電磁領域がある。さらに、データは、振幅変調、周波数変調、位相変調、パルス変調、または他の適切なデータ通信技術によって送信することができる。送信器ＰＣＢ７０は、自身のプロセッサを含み、無線通信機能を制御することができる。特定の実施例では、送信器ＰＣＢ７０は、場合によっては別のタイプのデータ通信装置である送受信器を使用することにより、遠隔源からデータを無線で受信することもできる。送受信器は、送信器と組み合わせて、または送信器の代わりに使用することができる。
【００２７】
電力については、ＰＣＢ６０は電池６８を含む。特定の実施例では、電池６８はリチウム電池または他の長持ちする電源であることによって、長期間の保守不要の動作を容易にすることができる。長持ちする電源を遠隔報告と組み合わせて使用すると、危険な位置または到達が困難な位置を含む用途に多大な利点が提供される。電池６８はハウジング２０内の多様な位置に装着してよいことに留意されたい。
【００２８】
圧力測定装置１０は多様な形体を有する。例えば、圧力データは、圧力測定装置において、および圧力測定装置から遠隔の場所で提供することができる。したがって、現場スタッフは圧力測定装置にて圧力データを測定し、圧力データを遠隔位置に送信することができる。これによって、圧力データを都合よく検査し、監視することができる。さらに、遠隔で監視することは、危険な位置または到達が困難な位置にとって重要である。ある実施例では、圧力測定装置１００は、ＥＭＩ／ＲＦＩ互換性についてＣＥ認証を受けることができ、クラス１、ディビジョン１の危険位置使用に適切である（つまり本質的に安全である）。また、２つの異なる変換器で圧力測定すると、圧力データを確証することができ、一方の変換器が故障した場合に冗長性が可能になる。さらなる例として、無線送信構成要素を圧力測定装置の標準的な形状因子に組み込むことができ、これは製造効率を提供する。さらに、例えば在庫管理による費用節約など、商業的利点を提供する。
【００２９】
図３Ａから図３Ｅは圧力測定装置１００を示す。図３Ａは圧力測定装置１００の斜視図を示し、図３Ｂは圧力測定装置１００の側面図を示す。図３Ｃから図３Ｄは圧力測定装置１００の端面図であり、図３Ｅは、図３Ｄの断面線Ｅ−Ｅに沿って切り取った断面図である。圧力測定装置１００は、ＥＭＩ／ＲＦＩ互換性についてＣＥ認証を受けることができ、クラス１、ディビジョン１の危険位置使用に適切である（つまり本質的に安全である）。
【００３０】
圧力測定装置１００は、第１端１１２および第２端１１４を有するハウジング１１０を含む。第１端１１２は、圧力の入口１１３を含み、第２端１１４はＩＲリンク１６０を容易にする半透明の窓１１９を含む。特定の実施例では、ハウジング１１０はほぼ５インチ（１２．５５ｃｍ）の長さで、３インチ（７．６２ｃｍ）の直径であり、他の実施例では任意の適切なサイズを有してよい。
【００３１】
第１端１１２では、圧力フィッティング（ｐｒｅｓｓｕｒｅ  ｆｉｔｔｉｎｇ）１１５がアダプタ・フランジ１１６に（例えば溶接によって）結合する。アダプタ・フランジ１１６は、以下で検討するインタフェース電子機器を支持する方法を含む。アダプタ・フランジ１１６は、非金属質でよいハウジング１１０に、平形ガスケット１１７、または「Ｏ」リング・シール、およびねじ１１８によって結合する。別の実施例では、ねじ付きハウジングに対合したねじ付きフランジを使用することができる。
【００３２】
入口１１３は、ハウジング１１０内の圧力センサ１２０と流体連絡する。圧力センサ１２０は、圧力フィッティング１１５に（例えばねじまたは溶接によって）装着され、圧力フィッティング１１５の入口１１３を介してセンサに加えられている圧力を表す電気信号を出力する。したがって、圧力センサ１２０は、図１の圧力センサ３０と同様に、入口１１３における圧力を電気出力に変換する。
【００３３】
圧力センサ１２０はホストＰＣＢ１３０に結合される。ホストＰＣＢ１３０には送信器ＰＣＢ１４０が結合される。任意の適切なタイプでよい赤外線ＬＥＤ１５０が、ハウジング１１０の第２端１１４に配置され、送信器ＰＣＢ１４０に電気的に結合される。
【００３４】
ＰＣＢ１３０は、圧力測定値を表す信号を処理するプロセッサ１３２を含む。プロセッサは、例えば圧力に対応するコードを生成するか、例外報告のような２次圧力データを含む、あるいはその両方を実行することができる。例えば「低圧」および「高圧」などの所定の例外状況は、規定のパルス・コードに関連づけられる。プロセッサは、例えばターゲットの設定またはクリアなど、例外状態を示すようにプログラムすることを含んでよい。次に、圧力データ（例えば圧力読み取り値および２次データ）を、ＬＥＤ１５０を介して一連のパルスで無線送信することができる。ホストＰＣＢ１３０も、リチウム電源などの継続時間が長い電源１３４を含む。
【００３５】
特定の実施例では、ホストＰＣＢ１３０は圧力センサ１２０から低レベルまたはより高レベルの出力（例えば３００ｍＶから約２Ｖ）を受け取り、信号でアナログ・ディジタル変換を実行して、次に電磁波を介して適合する受信器に送信する前に、ディジタル化した信号を操作する。次に、受信器は確立されたシステムへとアップロードするためにデータを遠隔送信ユニット（ＲＴＵ）に渡すか、データを直接コンピュータまたはローカル・システムにシリアル通信で通信する。例えばディジタル・ディスプレイの形態などで、装置１００にて圧力をローカルで表示する選択肢もある。
【００３６】
送信器ＰＣＢ１４０は、パルス（例えば一連の長いフラッシュおよび短いフラッシュ）を放出するために、プロセッサ１４２を含み、これはメモリに記憶されたプログラミングで制御することができる。プログラミングは、検出された圧力に対応するパルスのシーケンスを求めて、例えばデータベースを検索することができ、これもメモリに記憶されている。例えば、プログラミングは、マイクロプロセッサから受信したコードを求めて、データベースを検索することができる。コードは関連するパルス・シーケンスを有し、プロセッサ１４２は、パルス・シーケンスに従ってＬＥＤ１５０に赤外線信号を放出させる。ＩＲリンク１６０は、解釈するためにこの圧力データを従来のＩＲ受信器に搬送する。
【００３７】
特定の実施例では、送信器ＰＣＢ１４０は赤外線データ関連（ＩｒＤＡ）インタフェースを含む。ＩｒＤＡインタフェースによって、データを圧力測定装置１００と別個の外部コンピュータとの間で双方向に無線通信することができる。ＩｒＤＡインタフェースは、例えばプロセッサ１３２からの圧力データに関連するパルス・シーケンスを検索することができる。さらに、外部コンピュータは、リンク１６０を介して圧力測定装置１００をプログラムするために使用することができる。ＩｒＤＡインタフェースは、例えばＲＳ−２３２インタフェースなどの別のタイプのインタフェースでは外部コネクタ用に必要な穴のあるハウジングを損なうことなく実施できるので有利である。さらに、プログラミング装置は、受信ポートの近傍に配置することによって、インタフェースと通信することができ、位置合わせの問題を緩和する。ＲＦ送受信器は、幾つかの実施例ではプログラミング・プロセッサ１３２に使用できることに留意されたい。
【００３８】
図４Ａから図４Ｄは、例示的ＰＣＢアセンブリ４００を示す。図４ＡはＰＣＢアセンブリ４００の前面図である。図４ＢはＰＣＢアセンブリ４００の背面図である。図４ＣはＰＣＢアセンブリ４００の端面図である。図４ＤはＰＣＢアセンブリ４００の側面図である。ＰＣＢアセンブリ４００は、図１の圧力測定装置、図３の圧力測定装置、または他の適切な圧力測定装置に使用することができる。
【００３９】
ＰＣＢアセンブリ４００は、ホストＰＣＢ４１０および送信器ＰＣＢ４２０を含む。アセンブリ４００は、ホストＰＣＢ４１０に装着したリチウム電源４３０によって電力供給され、これは１分間に１回の送信頻度で６カ月から２年もつ。したがって、危険な環境での保守不要の動作が長期間にわたって達成される。したがって、アセンブリ、およびおそらくはこれが一部となる圧力測定装置全体が、外部電源を必要としなくなる。
【００４０】
ホストＰＣＢ４１０は、Ａ／Ｄ変換器４１２およびマイクロプロセッサ４１４を含む。Ａ／Ｄ変換器４１２は、圧力変換器からの信号を受け取り、ディジタル化するように動作可能である。信号はフィルタリングされ、ＥＭＩ／ＲＦＩインタフェースの影響から保護される。更新率および入力選択などのＡ／Ｄ変換器４１２の動作特性は、シリアル・インタフェースを通してプログラム可能である。例えば、Ａ／Ｄ変換器４１２は、マイクロプロセッサ４１４からシリアル・インタフェースを介して調整し、一定の電圧または一定の電流源から励起できる異なるタイプの圧力変換器からの変動する出力電圧レベルに対応することができる。
【００４１】
マイクロプロセッサ４１４は多様な機能を有する。例えば、マイクロプロセッサは、Ａ／Ｄ変換器４１２からの生のディジタル化圧力信号を読み取り、Ａ／Ｄ変換器４１２を制御することもできる。さらに、マイクロプロセッサ４１４はディジタル化信号を補償して、非直線性および温度係数を補正することができる。
【００４２】
マイクロプロセッサ４１４は、圧力測定装置の他の電子計器の全てではないまでも、その大部分とともに、Ａ／Ｄ変換器４１２への電力も制御する。したがって、マイクロプロセッサ４１４はＰＣＢアセンブリ４００、または場合によってはこれが一部となる圧力測定装置全体をスリープ・モードまたは低電力モードにし、プログラム可能な時間間隔で構成要素を起こすことによって、電力を保存することができる。
【００４３】
マイクロプロセッサ４１４は、プログラム可能な圧力設定点に基づいて、圧力データの無線送信頻度を追加的に制御することができる。例えば、装置は、感知した電圧がプログラム可能な警告圧力点を上回るか、下回るような時間まで、通常の頻度で圧力データを送信してよい。その時点で、プログラムに従って送信頻度が増加するか、減少する。感知した圧力がこれらの警告レベルを上回るか、下回ると、警報状態に到達し、再び送信頻度が増加するか、低下する。感知した圧力が正常レベルに戻ると、送信頻度が以前の設定値に戻る。表２は、例示的な送信頻度体系を示す。より一般的には、プロセッサ出力は、適切なタイプの圧力関連データおよび／または圧力測定装置に関する適切な情報を含む。
【００４４】
【表２】
2006510035.tif 000004
【００４５】
マイクロプロセッサ４１４は、シリアルＩｒＤＡリンク上での監視および通信も実行することができる。さらに、マイクロプロセッサ４１４は圧力データをオンボード・メモリに「データ・ログ」することができ、これは例えばランダム・アクセス・メモリ（ＲＡＭ）、電子的に消去可能なプログラマブル読み取り専用メモリ（ＥＥＰＲＯＭ）、コンパクト・ディスク読み取り専用メモリ（ＣＤ−ＲＯＭ）および／または他の適切な揮発性または非揮発性情報記憶装置を含む。
【００４６】
マイクロプロセッサ４１４はさらに、局所的圧力表示のために圧力データをディジタル・ディスプレイに送信することができる。圧力データは、シリアル式に送信し、ディスプレイは低電力で動作することができる。
【００４７】
アセンブリ４００の、したがってアセンブリが一部となる圧力測定装置の様々な態様の制御は、ＩＲデータ関連（ＩｒＤＡ）インタフェース（ＩＲ  ＤＡＴＡ  Ａｓｓｏｃｉａｔｉｏｎ  ｉｎｔｅｒｆａｃｅ）４１９を通して維持し、プログラムすることができる。ＩｒＤＡインタフェース４１９は、マイクロプロセッサ４１４とソフトウェア・ユーティリティをロードした外部コンピュータとの間の双方向シリアル通信リンクを提供する。
【００４８】
外部コンピュータは、場合によってはＲＳ−２３２リンクを通してＩｒＤＡ変換器に接続され、このソフトウェア・ユーティリティを使用して複数の機能を実行することができる。これらの機能は、情報について圧力測定装置にポーリングすること、感知した圧力に基づいて送信頻度を変更すること、および／またはＣＯＭポートを選択することを含む。警告の範囲および警報の範囲もあり、それぞれが自身のプログラム可能な送信間隔、さらに公称送信頻度が確立されている。警告範囲および警報範囲は、例外報告の一例である。また、機能は圧力チェック、送信、およびＩｒＤＡ起動率を確立することができる。さらに、ユーティリティは、構成要素の診断を実行することができる。機能は、ＩｒＤＡインタフェース４１９で使用可能な機能の上に、またはそれと組み合わせて、あるいはその両方で構築することができる。
【００４９】
ＩｒＤＡインタフェース４１９は、場合によってはソフトウェア・ユーティリティを通して使用し、アセンブリ４００が一部である装置のスケーリングおよび校正を制御することができる。例えば、フルスケール圧力値（ｆｕｌｌ−ｓｃａｌｅ  ｐｒｅｓｓｕｒｅ  ｖａｌｕｅ）を入力することができ、ゼロ圧力が圧力センサに導入された状態で、ユーティリティ画面のゼロ・ボタンがクリックされる。この動作により、読み取り値がゼロに正規化され、マイクロプロセッサ４１４はユニットがゼロにされていることに応答する。次に、圧力センサが最大圧力に導入され、ユーティリティ画面のフルスケールボタン（ｆｕｌｌ−ｓｃａｌｅ  ｂｕｔｔｏｎ）がクリックされる。フルスケール値が表示され、マイクロプロセッサはユニットがフルスケール値で校正されたことに応答する。
【００５０】
Ａ／Ｄ変換器４１２は、ＩｒＤＡインタフェース４１９を通しても設定することができる。インタフェースを通して、使用者は、Ａ／Ｄ変換器でどの入力を使用するか、使用するセンサ技術に応じて必要とされる内部利得、変換器の変換時間および／またはＡ／Ｄ変換器動作の他の技術的態様をプログラムすることができる。さらに、圧力データの換算係数、さらに選択した圧力読み取り値のエンジニアリング単位を設定することができる。
【００５１】
送信器ＰＣＢ４２０は、無線送信および／または情報受信に適切な構成要素を含む。適切な送信器ＰＣＢは、ルイジアナ州ニューオーリンズのＡＸＯＮＮ  Ｃｏｒｐ．から入手することができる。
【００５２】
図５は例示的な圧力測定装置５００を示す。圧力測定装置５００は図１の装置１０と同様である。しかし、電気出力を生成するために圧電センサを使用するのではなく、圧力測定装置５００は動作に応答する電流生成／感知技術を使用する。このような例は渦電流の感知である。適切な渦電流感知構造は、カリフォルニア州Ｓａｎ  ＢｅｒｎａｄｉｎｏのＬＺＴ  Ｔｅｃｈｎｏｌｏｇｙから入手可能である。
【００５３】
図示のように、圧力測定装置５００は、入口５０２における圧力変化に応答するブルドン管５０４を含む。誘導ターゲット５０６が、場合によっては運動などを通してブルドン管５０２に結合され、したがってブルドン管５０４が変位すると、ターゲット５０６が入口５０２において感知された圧力変化に比例して並進する。図示のように、ターゲット５０６はＵ字形の金属質打ち抜き部であり、ＰＣＢ５０８の縁部に巻き付くようなサイズにする。しかし、ターゲット５０６は、他の適切な形状を有してよい。ＰＣＢ５０８は、圧力測定装置のハウジングに対して固定位置にねじ５１０によって支持され、他のトレースとともに１対の誘導コイル５０９を含む。誘導コイルに対するターゲット５０６の動作は、回路の誘導バランスに影響する。したがって、入口５０２における圧力変化が電気出力に変換される。ある実施例では、出力は４〜２０ｍＡでよい。装置１０と同様に、次に電気出力を処理し、遠隔位置へと無線送信することができる。
【００５４】
装置５００は多様な特徴を有する。例えば、装置は圧力を遠隔位置に通信できる電気出力へと変換する効率的構造を提供する。さらに、構造は、標準的な圧力ゲージで容易に実現し、製造費を削減して、場合によっては改装することができる。さらに、装置５００は、ＥＭＩ／ＲＦＩ互換性についてＣＥ認証を受けることができ、クラス１、ディビジョン１の危険位置使用に適切である（つまり本質的に安全である）。
【００５５】
図６Ａから図６Ｂは例示的な圧力測定装置６００を示す。図示のように、圧力測定装置６００はディジタル圧力ゲージである。図６Ａは圧力測定装置６００の斜視図を示し、図６Ｂは装置６００の断面図を示す。
【００５６】
圧力測定装置６００は、圧力接続部６２０を支持するハウジング６１０を含み、これによって測定すべき圧力を装置に導入することができる。圧力測定装置６００はＰＣＢ６３０も含み、これは接続部６２０にて導入される圧力を示す信号を処理するプロセッサ６３２と、信号に応答して無線送信を生成する送受信器６３４とを含む。つまり、送受信器６３４は、他の圧力関連のデータとともに、接続部６２０にて導入される圧力を表す無線送信を生成する。ＰＣＢ６３０は、図４のＰＣＢアセンブリ４００と同様でよく、信号は圧電センサによって形成することができる。
【００５７】
圧力測定装置６００は、装置の圧力関連のデータを表すディスプレイ６４０を追加的に含む。圧力測定装置６００は、装置の状態情報（例えばオン／オフ、送信／受信など）を表す。ディスプレイ６４０は、例えば液晶ディスプレイ（ＬＣＤ）でよい。
【００５８】
圧力測定装置６００はさらに、プロセッサ６３２との相互作用を可能にする構成要素を含む。ディスプレイ６４０の近傍には複数の機能キー６５０が配置される。使用者は、機能キー６５０を使用して、追加の圧力関連データについてプロセッサ６３２に問い合わせることができる。例えば圧力設定点または例外報告、装置の状態、または他の適切な情報である。幾つかの実施例では、使用者はキー６５０を使用してプロセッサ６３２をプログラムすることもできる。これらの相互作用に関する情報をディスプレイ６４０上に表すことができる。キー６５０は、ディスプレイのオンとオフの切り替えにも使用することができる。これにょって、使用者が圧力測定装置６００を見ていない時に電力を保存することができる。他の実施例では、キー６５０はボタン、ダイヤル、タッチパッド、または他の適切な使用者入力装置でよい。圧力測定装置６００は、例えば上流のガス源泉用途（ｇａｓ  ｗｅｌｌ  ｈｅａｄ  ａｐｐｌｉｃａｔｉｏｎ）などの危険なクラス１、ディビジョン１位置で安全である。
【００５９】
圧力測定装置６００は、電気継手（ｅｌｅｃｔｒｉｃａｌ  ｃｏｕｐｌｉｎｇ）６６０も含み、これは例えばＨｅｙｃｏフィッティング（ｆｉｔｔｉｎｇ）でよい。プロセッサ６３２は、電気継手６６０を通して離散的状態入力および／または出力パルス累積情報を受け取ることができる。例えば、離散的状態入力は、例えばガス源泉の「プランジャ事象」（Ｐｌｕｎｇｅｒ  Ｅｖｅｎｔ）の存在を信号で通信する磁気タイプのスイッチ接点閉鎖など、外部源からのスイッチ閉鎖を検出する接点閉鎖入力でよい。別の例として、継ぎ手およびプロセッサは、例えばガス・メータなどの外部源から受信したパルスを数える。また、送受信器６３４によって無線送信するために、他の情報をプロセッサ６３２に入力してよい。例えば、別の測定装置（例えば抵抗式温度装置または熱電対などの温度測定装置）からの情報を入力し、送信することができる。これらの測定は本質的に安全でもよい。
【００６０】
圧力測定装置６００はさらにスイッチ６７０を含む。スイッチ６７０は送受信器６３４の電力状態を制御する。したがって、圧力測定装置６００が情報を無線送信するのを防止することができる。スイッチ６７０は、使用者が機能キー６５０を使用してプロセッサ６３２をプログラムする場合に有用である。他の実施例では、スイッチ６７０はボタン、ダイヤル、または他の適切な使用者入力装置でよい。
【００６１】
スイッチ６７０および機能キー６５０によって、局所的かつ無線の圧力データを提供する構成要素のオン／オフ機能を別個に制御することができることに留意されたい。したがって、圧力測定装置６００は圧力データを局所的に、遠隔に、または局所的かつ遠隔に提供することができる。しかし、他の実施例では、１つの入力構成要素または入力構成要素のタイプを通して独立した制御を達成することができる。
【００６２】
特定の実施例では、圧力測定装置６００はこれより少ない、多い、および／または異なる構成要素の配置構成を含むことができる。例えば、圧力測定装置６００は、装置の状態を表すために専用の視覚的表示器（例えばＬＥＤ）および／または聴覚的表示器（例えばスピーカ）を含んでよい。別の例として、圧力測定装置６００はプロセッサ６３２をプログラムするＩｒＤＡインタフェースを含む。さらなる例として、圧力測定装置６００はディスプレイ６４０、ボタン６５０、電気結合部６６０および／またはスイッチ６７０を含まなくてよい。圧力測定装置６００は、ＥＭＩ／ＲＦＩ互換性についてＣＥ認証を受けることができ、クラス１、ディビジョン１の危険位置使用に適切である（つまり本質的に安全である）。
【００６３】
図７は、圧力測定装置におけるプロセス７００を示す。プロセス７００は、図１の圧力測定装置１０、図３の圧力測定装置１００、図５の圧力測定装置５００、図６の圧力測定装置６００、または他の適切な圧力測定装置と同様の圧力測定装置によって実現することができる。
【００６４】
プロセスは、入口における圧力を感知するために待つことから開始する（決定ブロック７０４）。圧力が感知されると、プロセスは引き続き、感知した圧力を電気信号に変換する（機能ブロック７０８）。圧力は、例えば圧電抵抗デバイスによって電気信号に変換する。プロセスは、感知圧力を視覚的表示に変換するようにも要求する（機能ブロック７１２）。この変換は、例えば１）回転自在に結合したポインタを有するブルドン管、２）電気信号の値を決定し、記号を値に関連させ、記号を表示すること、または３）他の適切な技術によって実行することができる。視覚的表示は、圧力測定装置にて表示することができる。
【００６５】
プロセスは引き続き、機能ブロック７１６で電気信号に基づいて特徴付けデータを生成する。特徴付けデータは、例えば信号の属性を信号属性表と比較し、属性に関連する特徴を求めることによって生成することができる。表１はこのような例を提供する。
【００６６】
プロセスは引き続き、圧力範囲の変化が発生したか判断する（決定ブロック７２０）。この判断は、例えば信号の大きさをある設定点と比較して実行することができる。表１の第１列は、圧力設定点の例を提供する。圧力が複数の範囲にわたって変化している場合、プロセスは圧力データ送信頻度の調整を要求する（機能ブロック７２４）。例えば、圧力が公称レベルから高いレベルへと変化している場合、送信頻度は毎分１回から１０秒毎に１回へと調整することができる。さらに、圧力が非常に高いレベルに到達している場合、送信頻度は毎秒１回に調整することができる。他の圧力範囲および送信頻度も使用することができる。
【００６７】
送信頻度を調整した後、または圧力範囲に変化がなかった場合は、プロセスは引き続き、圧力データを送信する時か否かを判断する（決定ブロック７２８）。送信時間は、部分的には送信頻度によって決定される。送信する時ではない場合、プロセスは、追加の圧力感知のためにチェックに戻るよう要求する（決定ブロック７０４）。
【００６８】
しかし、圧力データを送信する時である場合、プロセスは圧力データを表す無線信号を送信することを要求する（機能ブロック７３２）。無線信号は、ＩＲまたは他の電磁領域で送信することができ、データは、パルス変調または他の適切な技術によって送信することができる。データは、電気信号の大きさの表現、特徴付けデータ、新しい送信頻度、または他の適切な圧力関連情報を含む。
【００６９】
プロセスは、決定ブロック７３６で動作調整を含む送信を受信したか判断することも要求する。調整は、例えば圧力設定点、送信頻度および／または他の適切な動作パラメータに関してよい。このような送信が受信されたら、プロセスは、機能ブロック７４０で動作の調整を要求する。動作の調整は、例えばプロセッサへの命令または表のデータを変更することを含む。調整動作後、またはこのような送信を受信していない場合、プロセスは追加の圧力感知のためにチェックに戻るように要求する（決定ブロック７０４）。
【００７０】
図７は、圧力測定装置におけるプロセスを示すが、圧力測定装置における他のプロセスは、より少ない、多い、および／または異なる動作構成を含むことができる。例えば、感知した圧力を視覚的表示に変換すること、特徴付けデータを生成すること、送信頻度を調整することおよび／または動作調整送信を受信することを要求しないプロセスもある。別の例として、プロセスは、送信する時になるまで圧力データを記憶するように要求する。さらなる例として、特徴付けデータの生成は、電気信号の形成後であるが、無線信号の送信前に実行することができる。追加の例として、動作調整送信を受信したかの決定は、任意の点で遂行することができる。別の例として、プロセスは動作モードの視覚的表示を提供するように要求することができる。これは、例えば２つのＬＥＤを有するＬＥＤ表示器を使用して遂行することができ、一方のＬＥＤはオン／オフを示し、他方は送信／受信を示す。さらなる例として、プロセスは電力保存モードに入るように要求することができる。追加の例として、プロセスは外部で生成したデータを受信することと、無線信号の一部としてデータを送信することとを含む。
【００７１】
図８は、例示的な圧力測定装置の構成要素８００を示す。構成要素８００は圧力変換器８１０、プロセッサ８２０、および送受信器８３０を含む。圧力変換器８１０は、圧力を感知し、圧力を表す電気信号を生成するように動作可能である。圧力変換器８１０は、例えば圧電センサでよい。プロセッサ８２０は、信号を受信し、それを分析して、圧力変換器信号を表す信号を生成するように動作可能である。プロセッサ８２０は、例えば圧力変換器信号を表す１組のパルスを求めることによって遂行することができる。プロセッサ８２０は、例外報告などの他の圧力関連データも決定することができる。その動作を実行するために、プロセッサ８２０は、自身内にコード化されたか、自身と関連するメモリに記憶された、またはその両方である命令を有する。送受信器８３０は、プロセッサ信号の無線送信を担当する。送信は、圧力変換器が感知した圧力、さらに他の圧力関連データを表す。
【００７２】
構成要素８００は、使用者インタフェース装置、つまり使用者出力装置８４０および使用者入力装置８５０も含む。使用者出力装置８４０は、圧力、装置またはその他に関する情報を圧力測定装置にて使用者に示すように動作可能である。情報は、視覚、聴覚、触覚、または他の適切なフォーマットで表すことができる。使用者入力装置８５０は、装置にて使用者からの指令を検出するように動作可能である。使用者入力装置８５０はボタン、キーパッド、タッチスクリーン、スタイラス、マイクおよび／または他の適切な装置を含むことができる。プロセッサ８２０は、通常は指令への応答を担当する。
【００７３】
図８は圧力測定装置の構成要素を示すが、他の圧力測定装置は、より少ない、多い、および／または異なる構成要素の構成を含むことができる。例えば、圧力測定装置は、使用者入力装置および／または使用者出力装置を含まなくてもよい。別の例として、圧力測定装置は、圧力変換器８１０とプロセッサ８２０の間のＡ／Ｄ変換器および／またはプロセッサ８２０に結合したメモリを含む。
【００７４】
図９は、圧力測定装置をプログラムするシステム９００を示す。圧力測定装置をプログラムするために、システム９００はＩＲ信号を使用する。システム９００は、圧力ゲージのプログラムに特に有用である。
【００７５】
システム９００は、ＩｒＤＡアダプタ９１０およびアダプタ用のホルダ９２０を含む。アダプタ９１０およびホルダ９２０は口、ＩＲ送信窓および／または放出されるＩＲ信号が通る他の構造を含む。ホルダ９２０は、使用者がアダプタの状態を決定することができるように、送信時にアダプタ９１０のＬＥＤ状態灯が光る口９２２も含む。アダプタ９２０は、任意の適切なＩｒＤＡアダプタでよいが、特定の実施形態では、カリフォルニア州ＡｃｔｉＳｙｓが製造するＩｒＤＡシリアルＣＯＭポートでよい。ホルダ９２０は、例えばポリカーボネートなどの適切なプラスチックで成形することができる。
【００７６】
システム９００は、一体スタッド／ナット装着部を有する真空カップ９３０アセンブリも含む。アセンブリ９３０は、ペンシルベニア州Ａｄａｍｓ  Ｍａｎｕｆａｃｔｕｒｉｎｇが提供するタイプでよい。
【００７７】
動作時には、使用者はホルダ９２０を真空カップアセンブリ９３０に組み付け、アダプタ９１０をホルダ９２０に挿入する。ホルダ９２０は、アダプタ９１０を捕捉する装置を含んでよい。捕捉装置は、例えばホルダ９２０に十分に挿入すると、品目のアダプタ９１０をさらに固定する、開口内の１片のベルクロ・テープでよい。使用者は、ホルダ９２０の送信構造を圧力測定装置の受信構造の付近に配置する。特定の実施例では、受信構造はダイヤル・プレート内の貫通穴でよく、配置は、アセンブリ９３０をハウジングの窓に押しつけて遂行され、窓は、圧力ゲージの標準品である透明な窓でよい。アセンブリ９３０は、一時的に（例えば送信器の形状をとる限り）ハウジングに結合することができる。使用者が、通常はアセンブリ９３０の真空グリップを破損し、今後再使用するためにアセンブリを保存するからである。
【００７８】
所定の位置に入ったら、ＩＲパルスが、アダプタ９１０およびアセンブリ９２０の透過構造を通してハウジングの受信構造に放出される。信号は、場合によってはハウジングの中央区画にある直列の穴を通過した後、ＩｒＤＡ送受信器に到達し、これは図２のホストＰＣＢ６０の前側に配置することができる。
【００７９】
検討中の圧力測定装置は、様々な異なる用途に特に有用である。例えば、源泉にて有用である。別の例として、危険な環境で、またはアクセスが困難な場所で有用である。
【００８０】
特定の実施例および用途を図示し、説明してきたが、本発明は本明細書で開示した厳密な構造および組成に制限されず、請求の範囲で定義されているような本発明の精神および範囲から逸脱することなく、様々な追加、削除、置換および／または変形が以上の記述から明白になることを理解されたい。
【図面の簡単な説明】
【００８１】
【図１】例示的な圧力測定装置の斜視図を示す。
【図２】図１の圧力測定装置の断面図を示す。
【図３】図３Ａから図３Ｅは、別の例示的圧力測定装置を示す。
【図４】図４Ａから図４Ｄは、例示的なプリント回路基板アセンブリを示す。
【図５】例示的圧力測定装置の斜視図を示す。
【図６】図６Ａから図６Ｂは、例示的圧力測定装置の斜視図を示す。
【図７】圧力測定装置におけるプロセスを示す。
【図８】例示的圧力測定装置の構成要素のブロック図である。
【図９】圧力測定装置をプログラムするシステムを示す。
【図１】
2006510035.tif 000005
【図２】
2006510035.tif 000006
【図３】
2006510035.tif 000007
【図４】
2006510035.tif 000008
【図５】
2006510035.tif 000009
【図６】
2006510035.tif 000010
【図７】
2006510035.tif 000011
【図８】
2006510035.tif 000012
【図９】
2006510035.tif 000013
【国際調査報告】
2006510035.tif 000014
2006510035.tif 000015
2006510035.tif 000016